(57)【要約】【課題】  情報処理システムのデータ通信手段を向上させる。【解決手段】  データ記録装置２は、情報処理装置との間でデータを入出力するホストインターフェース（Ｉ／Ｆ）１１と、バッファ１２と、ＲＡＭ１３と、コンテンツに属性情報を付して記録するフラッシュメモリ１４と、フラッシュメモリ１４との間でデータを入出力するフラッシュメモリインターフェース（Ｉ／Ｆ）１５と、属性情報に基づいてコンテンツを分類し、情報処理装置がコンテンツデータのファイルのメニュー表示を行うための論理構造を作成するＣＰＵ１６と、ＣＰＵ１６により実行されるプログラムが書き込まれたＲＯＭ１７と、ＣＰＵバス１８とを備えて構成され、情報処理装置は、データ記録装置２が作成した論理構造に基づいて、コンテンツデータのファイルのメニュー画面を作成してこの画面を表示する。【選択図】  図８
2007094740.tif 000002
【特許請求の範囲】
【請求項１】
表示手段を備える情報処理装置に対して着脱自在に接続され、コンテンツデータの書き込み動作及び／又は読み出し動作を行うデータ記録装置であって、
上記コンテンツデータを記録する記録手段と、
上記表示手段に上記コンテンツデータのファイルをメニュー表示するための論理構造を作成する論理構造作成手段と、
上記情報処理装置と接続された際、上記論理構造の情報を当該情報処理装置に出力する出力手段と
を備えることを特徴とするデータ記録装置。
【請求項２】
上記記録手段に記録されているコンテンツデータには属性情報が付されており、
上記論理構造作成手段は、上記属性情報に基づいてコンテンツデータを分類することにより上記論理構造を作成することを特徴とする請求項１記載のデータ記録装置。
【請求項３】
上記論理構造作成手段は、上記属性情報に基づいて分類したコンテンツデータのカテゴリと当該カテゴリに対応するコンテンツデータのファイルとを表示するための表示方式である論理構造を作成することを特徴とする請求項１記載のデータ記録装置。
【請求項４】
表示手段を備える情報処理装置とデータを記録する記録装置とに対して着脱自在に接続され、コンテンツデータの書き込み動作及び／又は読み出し動作を行う接続装置であって、
上記表示手段に上記コンテンツデータのファイルをメニュー表示するための論理構造を作成する論理構造作成手段と、
上記情報処理装置と接続された際、上記論理構造の情報を当該情報処理装置に出力する出力手段と
を備えることを特徴とする接続装置。
【請求項５】
コンテンツデータを記録する記録手段と、
情報処理装置が上記コンテンツデータのファイルをメニュー表示するための論理構造を作成する論理構造作成手段と、
上記論理構造の情報を当該情報処理装置に出力する出力手段と
を備えるデータ記録装置と着脱自在に接続される情報処理装置であって、
上記出力手段から出力された上記論理構造の情報に基づいて上記コンテンツデータのファイルのメニュー画面を作成する画面作成手段と、
上記画面作成手段で作成された上記メニュー画面を表示する表示手段と
を備えることを特徴とする情報処理装置。
【請求項６】
上記表示手段は、上記画面作成手段で作成された複数の異なる画面を瞬時に切り替えて表示することを特徴とする請求項５記載の情報処理装置。
【請求項７】
表示手段を有する情報処理装置と、当該情報処理装置に対して着脱自在に接続され、データの書き込み動作及び／又は読み出し動作を行うデータ記録装置とからなる情報処理システムであって、
上記データ記録装置は、
上記コンテンツデータを記録する記録手段と、
上記表示手段に上記コンテンツデータのファイルをメニュー表示するための論理構造を作成する論理構造作成手段と、
上記情報処理装置と接続された際、上記論理構造の情報を当該情報処理装置に出力する出力手段と
を備え、
上記情報処理装置は、
上記出力手段から出力された上記論理構造の情報に基づいて上記コンテンツデータのファイルのメニュー画面を作成する画面作成手段と、
上記画面作成手段で作成された上記メニュー画面を表示する表示手段と
を備えることを特徴とする情報処理システム。
【請求項８】
表示手段を有する情報処理装置と、当該情報処理装置に対して着脱自在に接続され、データの書き込み動作及び／又は読み出し動作を行うデータ記録装置とからなる情報処理システムにおける情報処理方法であって、
上記データ記録装置は、
上記コンテンツデータを記録する記録工程と、
上記表示手段が上記コンテンツデータのファイルをメニュー表示するための論理構造を作成する論理構造作成工程と、
上記情報処理装置と接続された際、上記論理構造の情報を当該情報処理装置に出力する出力工程と
を有し、
上記情報処理装置は、
上記出力工程から出力された上記論理構造の情報に基づいて上記コンテンツデータのファイルのメニュー画面を作成する画面作成工程と、
上記画面作成工程で作成された上記メニュー画面を表示する表示工程と
を有することを特徴とする情報処理方法。
【発明の詳細な説明】
【技術分野】
【０００１】
本発明は、データを記録再生するデータ記録装置及び接続装置、データ記録装置が着脱可能に接続され、データを処理する情報処理装置及び処理方法、並びにデータ記録装置と情報処理装置とが接続されて構成される情報処理システムに関する。
【背景技術】
【０００２】
ＵＳＢメモリ、ポータブルＨＤＤ（Hard Disk Drive）、半導体メモリ等のいわゆるリムーバブルメディアは、データを保存して持ち運ぶことが可能であることから、広く普及している。
【０００３】
一般的に、半導体メモリは、図３０に示すように、コンピュータ装置等のホスト機器との間でデータを入出力するホストインターフェース（Ｉ／Ｆ）１０１と、ページバッファ１０２と、レジスタ１０３と、フラッシュメモリ１０４と、フラッシュメモリ１０４との間でデータを入出力するフラッシュメモリインターフェース（Ｉ／Ｆ）１０５と、ＣＰＵ（Central Processing Unit）１０６と、ＣＰＵバス１０７とを備えて構成されている。
【０００４】
ホストインターフェース（Ｉ／Ｆ）１０１を介して、入出力されるデータは、予め決められたデータ容量を持つページバッファ１０２に一時的に記憶され、シリアル／パラレルデータに変換される。レジスタ１０３は、データの書き込みや消去等のフラッシュメモリ１０４の動作状態やメモリセルがロック状態か否かを監視する。ＣＰＵ１０６は、ホスト機器からの命令に応じて、レジスタ１０３をもとにページバッファ１０２とフラッシュメモリ１０４間のデータの転送を行い、読出・書込・消去をコントロールする。このような構成を有する半導体メモリにより、ユーザは所望のファイルを他のホスト機器で読み出すことが可能となる。
【０００５】
【非特許文献１】http://www.highmat.com/japanese/whatisit/
【発明の開示】
【発明が解決しようとする課題】
【０００６】
しかしながら、上述した半導体メモリ等のリムーバブルメディアをホスト機器に挿入／接続した場合、ホスト機器は、初期動作としてリムーバブルメディア内のファイルの検出のためにファイル名を読み出し、それを整理してファイルリストとしてディスプレイ画面に表示する動作が必要であり、しかも、この動作はリムーバブルメディアを接続する度に行わなければならなかった。
【０００７】
また、リムーバブルメディアの記憶容量が大容量化し、格納するファイル数が増加するに従い、初期動作に時間が掛かっていた。
【０００８】
さらに、リムーバブルメディアに格納されたファイルを表示する場合、そのリムーバブルメディアを挿入／接続するホスト機器によってユーザへのファイルの表示形式が変わり、ユーザはそれぞれのホスト機器で自分用の表示設定をしなければならなかった。
【０００９】
これに対し、例えば、ＣＤ（Compact Disc）にコンテンツデータをＨｉｇｈＭＡＴ（商標）と呼ばれるフォーマットで記録することにより、例えば、ＤＶＤ（Digital Versatile Disk）プレーヤで所望のファイルを表示、選択することが可能となることが知られているものの、やはり、初期動作に時間が掛かっていた。また、ファイルの表示形式もホスト機器に依存して自由度がなく、ユーザにとって使い勝手が悪かった。
【００１０】
本発明は、このような従来の実情に鑑みて提案されたものであり、初期動作時間を短縮するとともに、所望の表示形式でファイルを表示することができるデータ記録装置及び接続装置、情報処理装置及び情報処理方法、並びに情報処理システムを提供することを目的とする。
【課題を解決するための手段】
【００１１】
上述した目的を達成するために、本発明に係るデータ記録装置は、表示手段を備える情報処理装置に対して着脱自在に接続され、コンテンツデータの書き込み動作及び／又は読み出し動作を行うデータ記録装置であって、上記コンテンツデータを記録する記録手段と、上記表示手段に上記コンテンツデータのファイルをメニュー表示するための論理構造を作成する論理構造作成手段と、上記情報処理装置と接続された際、上記論理構造の情報を当該情報処理装置に出力する出力手段とを備えることを特徴とする。
【００１２】
また、上記記録手段に記録されているコンテンツデータには属性情報が付されており、上記論理構造作成手段は、上記属性情報に基づいてコンテンツデータを分類することにより上記論理構造を作成する。
【００１３】
また、上記論理構造作成手段は、上記属性情報に基づいて分類したコンテンツデータのカテゴリと当該カテゴリに対応するコンテンツデータのファイルとを表示するための表示方式である論理構造を作成する。
【００１４】
また、上述した目的を達成するために、本発明に係る接続装置は、表示手段を備える情報処理装置とデータを記録する記録装置とに対して着脱自在に接続され、コンテンツデータの書き込み動作及び／又は読み出し動作を行う接続装置であって、上記表示手段に上記コンテンツデータのファイルをメニュー表示するための論理構造を作成する論理構造作成手段と、上記情報処理装置と接続された際、上記論理構造の情報を当該情報処理装置に出力する出力手段とを備えることを特徴とする。
【００１５】
また、上述した目的を達成するために、本発明に係る情報処理装置は、コンテンツデータを記録する記録手段と、情報処理装置が上記コンテンツデータのファイルをメニュー表示するための論理構造を作成する論理構造作成手段と、上記論理構造の情報を当該情報処理装置に出力する出力手段とを備えるデータ記録装置と着脱自在に接続される情報処理装置であって、上記出力手段から出力された上記論理構造の情報に基づいて上記コンテンツデータのファイルのメニュー画面を作成する画面作成手段と、上記画面作成手段で作成された上記メニュー画面を表示する表示手段とを備えることを特徴とする。
【００１６】
また、上記表示手段は、上記画面作成手段で作成された複数の異なる画面を瞬時に切り替えて表示する。
【００１７】
また、上述した目的を達成するために、本発明に係る情報処理システムは、表示手段を有する情報処理装置と、当該情報処理装置に対して着脱自在に接続され、データの書き込み動作及び／又は読み出し動作を行うデータ記録装置とからなる情報処理システムであって、上記データ記録装置は、上記コンテンツデータを記録する記録手段と、上記表示手段に上記コンテンツデータのファイルをメニュー表示するための論理構造を作成する論理構造作成手段と、上記情報処理装置と接続された際、上記論理構造の情報を当該情報処理装置に出力する出力手段とを備え、上記情報処理装置は、上記出力手段から出力された上記論理構造の情報に基づいて上記コンテンツデータのファイルのメニュー画面を作成する画面作成手段と、上記画面作成手段で作成された画面を表示する表示手段とを備えることを特徴とする。
【００１８】
また、上述した目的を達成するために、本発明に係る情報処理方法は、表示手段を有する情報処理装置と、当該情報処理装置に対して着脱自在に接続され、データの書き込み動作及び／又は読み出し動作を行うデータ記録装置とからなる情報処理システムにおける情報処理方法であって、上記データ記録装置は、上記コンテンツデータを記録する記録工程と、上記表示手段が上記コンテンツデータのファイルをメニュー表示するための論理構造を作成する論理構造作成工程と、上記情報処理装置と接続された際、上記論理構造の情報を当該情報処理装置に出力する出力工程とを有し、上記情報処理装置は、上記出力工程から出力された上記論理構造の情報に基づいて上記コンテンツデータのファイルのメニュー画面を作成する画面作成工程と、上記画面作成工程で作成された画面を表示する表示工程とを有することを特徴とする。
【発明の効果】
【００１９】
本発明によれば、データ記録装置及び接続装置は、コンテンツデータのファイルをメニュー表示するための論理構造を作成し、情報処理装置とデータ記録装置又は接続装置とが接続した際、情報処理装置は、この論理構造に基づいてコンテンツデータのファイルのメニュー画面を作成してこの画面を表示するだけでよいため、初期動作時間を短縮することが可能となるとともに、異なる情報処理装置間で瞬時に所望の表示形式によりコンテンツデータのファイルを表示することが可能となる。
【発明を実施するための最良の形態】
【００２０】
以下、本発明の具体的な実施の形態について、図面を参照しながら詳細に説明する。
【００２１】
図１は、本発明の一実施形態における情報処理システムの構成を示すブロック図である。この情報処理システムは、例えば、携帯音楽プレーヤ、デジタルカメラ、いわゆるパーソナルコンピュータ等のユーザが操作を行うホスト機器である情報処理装置１と、データの読出・書込・消去が可能なデータ記録装置２とが有線又は無線の通信路を介して接続されている。
【００２２】
ここで、情報処理装置１とデータ記録装置２との間の通信プロトコルについて、図２〜図７を参照して説明する。このプロトコルは、例えば、図２に示すように、物理レベルＡと、論理レベルＢと、ファイルレベルＣと、メニューレベルＤと、ＧＵＩレベルＥとの階層に分けることができる。
【００２３】
物理レベルＡは、デバイス内のブロックを表す物理アドレスを用いたものである。したがって、図３（ａ）に示すように、情報処理装置１とデータ記録装置２とが物理レベルＡで通信した場合、情報処理装置１は、データ記録装置２内のデータを格納した物理アドレスを直接指定しなければならず、処理負担が大きい。
【００２４】
論理レベルＢは、物理アドレスをそのブロックが論理的に何番のブロックかを表す仮想アドレスに変換したものを用いたものである。したがって、図３（ｂ）に示すように、情報処理装置１とデータ記録装置２とが論理レベルＢで通信した場合、情報処理装置１は、仮想アドレスを用いることにより、物理アドレスを直接指定するよりも処理速度を上げることが可能となる。
【００２５】
ファイルレベルＣは、例えば、ＦＡＴ（File Allocation Table）、ＵＤＦ（Universal Disk Format）等のファイルを構成するブロックの配置を管理するものである。したがって、図３（ｃ）に示すように、情報処理装置１とデータ記録装置２とがファイルレベルＣで通信した場合、情報処理装置１は、ファイル名でファイルの読み出しなどを行うことが可能となる。また、図４に示すように、ファイル内のコンテンツデータの属性情報も管理することが可能となる。ここで、属性情報とは、コンテンツの内容に関連したメタデータとしてコンテンツデータに付されるコンテンツの副情報である。なお、アルファベットの大文字はファイル名を示し、アルファベットの小文字はコンテンツのジャンルを示す。
【００２６】
メニューレベルＤは、ファイルの属性情報を基にコンテンツデータのファイルをユーザが見やすい構成に並べ替えたメニューの論理構造に関するものである。ここで、論理構造とは、上述した属性情報に基づいて分類したコンテンツデータのカテゴリと当該カテゴリに対応するコンテンツデータのファイルとを表示するための表示方式である。したがって、図３（ｄ）に示すように、情報処理装置１とデータ記録装置２とがメニューレベルＤで通信した場合、情報処理装置１は、例えば、図５に示すように、データ記録装置２により作成されたファイルの属性情報を基にコンテンツデータのファイルをジャンル別に並び替えるといったメニューの論理構造や、図６に示すように、名前順に並べ替えるといったメニューの論理構造に基づいて、メニュー画面を作成する。
【００２７】
ＧＵＩレベルＥは、メニューの論理構造に基づいて作成されたメニュー画面のＧＵＩ表示に関するものである。
【００２８】
本発明の一実施形態におけるデータ記録装置２は、図３（ｄ）に示すメニューレベルで情報処理装置１と通信を行い、カテゴリと対応するコンテンツとの表示方式であるコンテンツメニューの論理構造の情報を情報処理装置１に出力する。
【００２９】
情報処理装置１は、データ記録装置２が作成したメニューの論理構造に基づいて、例えば、図７に示すように、後述する第１レイヤ２１と第２レイヤ２２とから成る２次元クロスバーを用いてファイルのメニュー表示をするＡＶモードのＧＵＩ画面を作成して、このＧＵＩ画面を表示する。ここで、２次元クロスバーとして、例えば、ＸＭＢ（Xross media bar）（商標）が挙げられる。なお、ＡＶモードについての詳細については後述する。
【００３０】
次に、本発明の一実施形態におけるデータ記録装置２の構成について説明する。このデータ記録装置２は、図８に示すように、情報処理装置１との間でデータを入出力するホストインターフェース（Ｉ／Ｆ）１１と、バッファ１２と、ＲＡＭ（Random Access Memory）１３と、コンテンツデータに属性情報を付して記録するフラッシュメモリ１４と、フラッシュメモリ１４との間でデータを入出力するフラッシュメモリインターフェース（Ｉ／Ｆ）１５と、属性情報に基づいてコンテンツデータを分類し、情報処理装置１がコンテンツデータのファイルのメニュー表示を行うための論理構造を作成するＣＰＵ（Central Processing Unit）１６と、ＣＰＵ１６により実行されるプログラムが書き込まれたＲＯＭ（Read Only Memory）１７と、ＣＰＵバス１８とを備えて構成される。
【００３１】
本実施形態におけるデータ記録装置２は、高度なプログラムを実行するためのＣＰＵ１６、ＲＡＭ１３及びＲＯＭ１７を備えている。また、バッファ１２は、ＦＩＦＯ（First-In First-Out）であることが好ましい。
【００３２】
ホストインターフェース（Ｉ／Ｆ）１１を介して入出力されるデータは、主に、データ記録装置２が作成するメニュー論理構造、諸動作の開始、終了等の制御情報等である。
【００３３】
本実施の形態における情報処理装置１は、画面のメニュー表示モードの内、上位の表示モードとしてＡＶ（Audio Visual）モード及びＰＣ（Personal Computer）モードを用いる。
【００３４】
データ記録装置２が備えるＣＰＵ１６は、情報処理装置１がコンテンツをＡＶモード及びＰＣモードで表示するために、以下に示すようなＡＶモード及びＰＣモードにおけるメニューの論理構造を作成する。
【００３５】
ＡＶモードでは、図９（Ａ）に示すように、情報処理装置１がＧＵＩ画面に２次元クロスバーを使用してメニュー表示を行うモードであり、このＡＶモードでは、データ記録装置２がフラッシュメモリ１４内に、ＡＶコンテンツに属性情報を付して記録する。
【００３６】
このＡＶモードで用いられる２次元クロスバーは、横方向の第１レイヤ２１に、例えば、「動画」、「音楽」、「写真」といった複数のカテゴリを並列表示し、それぞれのカテゴリが有するコンテンツデータのファイルを下層の縦方向の第２レイヤ２２に並列表示する。ユーザは、情報処理装置１の特定キーより１つのカテゴリを選択した後、そのカテゴリが有する複数のコンテンツの中から目的のコンテンツを選択する。その後、情報処理装置１は、ユーザが表示させたいコンテンツを即座に表示する。また、情報処理装置１は、複数のコンテンツをユーザが視聴したか、未だ視聴していないかによって自動的にコンテンツデータを分類することが可能である。
【００３７】
一方、ＰＣモードは、図９（Ｂ）に示すように、例えば、リムーバブルディスク内に存在するフォルダである「ツール」、「ドキュメント」、「プロジェクト」、「メール」及び「資料」と、「プロジェクト」が下層に有するフォルダ“Project_A”、“Project_B”及び“Project_C”とを表示する場合のように、ＰＣのアクセス方式に適したメニュー表示を行う表示モードであり、ＰＣのＯＳ（Operating System）が定めた形式に基づく属性をコンテンツデータに付してデータ記録装置２が備えるフラッシュメモリ１４に保存することにより実行される。
【００３８】
本実施の形態における情報処理システムでは、データ記録装置２側において、例えば、ファイル名及び拡張子、ファイル作成日時、ファイル更新日時、ファイルアクセス日時、ファイルが読み取り専用か否か、ファイルが隠しファイルであるか否か等のファイル属性に基づくファイルの分類やフォルダ構成を変更することが可能となる。
【００３９】
ここで、ＡＶモード及びＰＣモードについてそれぞれ詳細に説明する。
【００４０】
先ず、ＡＶモードについて説明する。ＡＶモードは、図１０に示すように、それぞれのファイルが何れかの属性を有する。上述した属性情報の属性の例としては、ジャンルがテレビジョン放送である場合は、番組名、登場人物、放映日時等、ジャンルが音楽である場合は、曲名、ＣＤ（Compact Disk）のアルバム名、作曲者名、歌手名、奏者名、曲の再生順序を指定したプレイリストの中での位置等、ジャンルが静止画である場合は、静止画のタイトル、撮影日、解像度等である。
【００４１】
このＡＶモードを上位の表示モードとした場合、ＡＶモードは下位の表示モードとして図１１（Ａ）〜図１１（Ｄ）に示す表示モードを有する。
【００４２】
例えば、ＡＶモードは、第１レイヤ２１に音楽、動画及び写真といったカテゴリを並列表示し、ユーザが音楽を選択した場合、下層の第２レイヤ２２に、アルバムＡ、アルバムＢ、・・・、アルバムＥ、その他というようにアルバムの種類ごとに分類したコンテンツリストを並列表示する下位の表示モード（図１１（Ａ））、第１レイヤ２１が下層に有する第２レイヤ２２に、楽曲Ａ、楽曲Ｂ、・・・、楽曲Ｅというように楽曲ごとに分類したコンテンツリストを並列表示する下位の表示モード（図１１（Ｂ））、第１レイヤ２１が下層に有する第２レイヤ２２に、プレイリストＡ、プレイリストＢ、プレイリストＣ、プレイリストに登録されていない楽曲というようにプレイリストごとに分類したコンテンツリストを並列表示する下位の表示モード（図１１（Ｃ））、第１レイヤ２１に保存、未視聴、ゴミ箱といったユーザのファイル使用状態に対応したカテゴリを並列表示し、ユーザが保存を選択した場合、下層の第２レイヤ２２に、動画、音楽、写真、その他というようにＡＶモードにおけるカテゴリに相当するコンテンツリストを並列表示する下位の表示モード（図１１（Ｄ））等がある。
【００４３】
情報処理装置１は、例えば、図１１（Ａ）〜図１１（Ｄ）に示すような複数の異なる下位の表示モードを瞬時に切り替えて表示することが可能である。
【００４４】
また、このＡＶモードでは、データ記録装置２を情報処理装置１から抜いても、情報処理装置１が最後にどの表示モードを用いたかをデータ記録装置２が記憶している。このため、次にユーザがアクセスする場合、情報処理装置１は、その最後に用いた表示モードによる表示をすることが可能である。
【００４５】
本実施の形態における情報処理システムにＡＶモードを用いた場合の情報処理装置１とデータ記録装置２とがデータの遣り取りを行う際のシーケンスについて説明する。
【００４６】
図１２は、ＡＶモードを用いた情報処理システムの初期シーケンスを説明するための図である。
【００４７】
ステップＳ１において、データ記録装置２は、ＡＶモード、ＰＣモード等、上位の複数の表示モードの選択肢を、例えば、デジタルカメラ１Ａである情報処理装置１に出力する。ステップＳ２において、複数の表示モードの選択肢を入力した情報処理装置１は、ＡＶモードを選択し、この結果をデータ記録装置２に出力する。ステップＳ３において、データ記録装置２は、２次元クロスバーの内、カテゴリが並列表示されている第１レイヤ２１を情報処理装置１に出力する。ステップＳ４において、情報処理装置１は、第１レイヤ２１に並列表示されているカテゴリの内、「動画」カテゴリを選択した場合、「動画」カテゴリが下位層リストとして有するコンテンツリストをデータ記録装置２に要求する。ステップＳ５において、データ記録装置２は、「動画」カテゴリが有するコンテンツリストが並列表示された第２レイヤ２２を情報処理装置１に出力する。
【００４８】
情報処理装置１は、このようなシーケンスを経て、データ記録装置２のＣＰＵ１６が作成したＡＶモードのメニュー画面の論理構造に基づいてメニュー表示を行うＧＵＩ画面を作成して、このＧＵＩ画面を表示する。
【００４９】
また、情報処理装置１は、図１３に示すように、図１１（Ａ）に示すＡＶモードの下位の表示モードの画面２３から図１１（Ｄ）に示すＡＶモードの下位の表示モードの画面２４に表示切り替えを行う場合、ステップＳ５に続くステップＳ６において、情報処理装置１は、画面の表示切り替えをデータ記録装置２に要求する。ステップＳ７においてデータ記録装置２は、情報処理装置１が要求した画面２４に表示された２次元クロスバーの第１レイヤ２１を情報処理装置１に出力する。ステップＳ８において情報処理装置１は、この第１レイヤ２１内の特定のカテゴリが有するコンテンツリストをデータ記録装置２に要求する。ステップＳ９において、データ記録装置２は、このコンテンツリストが並列表示された第２レイヤ２２を情報処理装置１に出力する。
【００５０】
情報処理装置１は、このようなシーケンスを経て、ＡＶモードにおけるＧＵＩ画面の表示切り替えを瞬時に行うことが可能となる。
【００５１】
図１４は、情報処理装置１がデータ記録装置２のデータを読み出す際のシーケンスを説明するための図である。ステップＳ２１において、情報処理装置１は、データ記録装置２に対して、コンテンツの読み出し開始要求を出し、コンテンツ名を読み出すように要求する。ステップＳ２２において、データ記録装置２は、コンテンツ名に相当するアクセスポインタを発行する。ステップＳ２３において、情報処理装置１は、アクセスポインタ、リードポイント及びデータ長の読み出しをする。ステップＳ２４において、データ記録装置２は、アクセスポインタをデータとして情報処理装置１に出力する。ステップＳ２５において、情報処理装置１は、アクセスポインタを終了通知としてデータ記録装置２に出力する。ステップＳ２６において、データ記録装置２は、アクセスポインタを承諾通知として情報処理装置１に出力する。
【００５２】
また、図１５は、情報処理装置１がデータ記録装置２にデータを書き込む際のシーケンスを説明するための図である。ステップＳ３１において、情報処理装置１は、データ記録装置２に対して、コンテンツの書き込み開始要求を出し、コンテンツ名を要求する。ステップＳ３２において、データ記録装置２は、コンテンツ名であるアクセスポインタを発行する。ステップＳ３３において、情報処理装置１は、アクセスポインタ及び属性情報をデータ記録装置２に書き込みする要求をデータ記録装置２に出力する。ステップＳ３４において、データ記録装置２は、アクセスポインタを承諾通知として情報処理装置１に出力する。ステップＳ３５において、情報処理装置１は、アクセスポインタ及びデータ長をデータ記録装置２に書き込む。ステップＳ３６において、データ記録装置２は、アクセスポインタを承諾通知として情報処理装置１に出力する。ステップＳ３７において、情報処理装置１は、アクセスポインタを終了通知としてデータ記録装置２に出力する。ステップＳ３８において、データ記録装置２は、アクセスポインタを承諾通知として情報処理装置１に出力する。
【００５３】
また、図１６は、情報処理装置１がデータ記録装置２に書き込まれたデータを消去する際のシーケンスを説明するための図である。ステップＳ４１において、情報処理装置１は、データ記録装置２に対して消去したいコンテンツデータのコンテンツ名を呈示し、このコンテンツデータの消去要求をする。ステップＳ４２において、データ記録装置２は、承諾通知を情報処理装置１に出力する。
【００５４】
次に、ＰＣモードについて説明する。ＰＣモードでは、図１７に示すように、それぞれのファイルは、ＰＣのＯＳが定めた何れかのアプリケーションソフトのファイル形式により構成される。それぞれのファイルは、各タイトルの後に各アプリケーションソフトが規定した、例えば“.doc”、“.ppt”、“txt”、“.xls”、“.mdb”等の拡張子を付けて、これらをコンテンツ名としてデータ記録装置２が備えるフラッシュメモリ１４に保存する。
【００５５】
このＰＣモードは、下位の表示モードとして図１８（Ａ）〜図１８（Ｄ）に示す表示モードを有する。
【００５６】
このＰＣモードには、例えば、コンテンツデータのファイルをリムーバブルディスク内の目的別のフォルダに分類して保存し、この保存形式を維持したまま表示する表示モード（図１８（Ａ））、コンテンツデータのファイルをリムーバブルディスク内のフォルダにアプリケーションの拡張子ごとに分類して保存し、この保存形式を維持したまま表示する表示モード（図１８（Ｂ））、アプリケーションが異なるコンテンツデータのファイルをリムーバブルディスク内に保存し、これらを並列表示する表示モード（図１８（Ｃ）及び図１８（Ｄ））等がある。情報処理装置１は、このＰＣモードにおいてもＡＶモードと同様に、例えば、図１８（Ａ）〜図１８（Ｄ）に示すような複数の異なる表示モードを瞬時に切り替えて表示することが可能である。
【００５７】
また、ＡＶモードと同様に、このＰＣモードにおいても、データ記録装置２を情報処理装置１から抜いても情報処理装置１が最後にどの表示モードを用いたかをデータ記録装置２内が記憶しているため、次にユーザがアクセスする場合、情報処理装置１は、その最後に用いた表示モードによる表示をすることが可能である。
【００５８】
本実施の形態における情報処理システムにＰＣモードを用いた場合のシーケンスについて説明する。
【００５９】
図１９は、ＰＣモードを用いた情報処理システムの初期シーケンスを説明するための図である。ここでは、例として図１８（Ａ）に示す画面を表示する場合について説明する。
【００６０】
ステップＳ５１において、データ記録装置２は、ＡＶモード、ＰＣモード等、複数の表示モードの選択肢を情報処理装置１に出力する。ステップＳ５２において、複数の表示モードの選択肢を入力した情報処理装置１は、ＰＣモードを選択してデータ記録装置２に出力する。ステップＳ５３において、データ記録装置２は、第１層目のフォルダ２５を情報処理装置１に出力する。ステップＳ５４において、情報処理装置１は、第１層フォルダの内、フォルダ名が「プロジェクト」であるフォルダを選択した場合、この「プロジェクト」が有する下位層リストをデータ記録装置２に要求する。ステップＳ５５において、データ記録装置２は、「プロジェクト」が有する各フォルダ名が“Project_A”、“Project_B”、“Project_C”といった下位層フォルダ２６を情報処理装置１に出力する。
【００６１】
情報処理装置１は、このようなシーケンスを経て、データ記録装置２のＣＰＵ１６が作成したＰＣモードのメニュー画面の論理構造に基づいてメニュー表示を行うＧＵＩ画面を作成して、このＧＵＩ画面を表示する。
【００６２】
また、ＰＣモードにおいて、例えば、図１８（Ａ）に示す画面２７から図１８（Ｃ）に示す画面２８に表示形式の切り替えを行う場合、図２０に示すように、ステップＳ５５に続くステップＳ５６において、情報処理装置１は、表示形式の切り替えをデータ記録装置２に要求する。ステップＳ５７においてデータ記録装置２は、画面２８のコンテンツリストを情報処理装置１に出力する。
【００６３】
情報処理装置１は、このようなシーケンスを経て、ＡＶモードにおけるＧＵＩ画面の表示切り替えを瞬時に行うことが可能となる。
【００６４】
図２１は、情報処理装置１がデータ記録装置２のデータを読み出す際のシーケンスを説明するための図である。ステップＳ６１において、情報処理装置１は、データ記録装置２に対して、コンテンツの読み出し開始要求を出し、コンテンツを指定するコンテンツ名を読み出すように要求する。ステップＳ６２において、データ記録装置２は、コンテンツ名であるアクセスポインタを発行する。ステップＳ６３において、情報処理装置１は、アクセスポインタ、リードポイント及びデータ長の読み出し要求をする。ステップＳ６４において、データ記録装置２は、アクセスポインタをデータとして情報処理装置１に出力する。ステップＳ６５において、情報処理装置１は、アクセスポインタを終了通知として情報処理装置１に出力する。ステップＳ６６において、データ記録装置２は、アクセスポインタを承諾通知として情報処理装置１に出力する。
【００６５】
また、図２２は、情報処理装置１がデータ記録装置２にデータを書き込む際のシーケンスを説明するための図である。ステップＳ７１において、情報処理装置１は、データ記録装置２に対して、コンテンツの書き込み開始要求を出し、コンテンツを指定するコンテンツ名を読み出すように要求する。ステップＳ７２において、データ記録装置２は、コンテンツ名であるアクセスポインタを発行する。ステップＳ７３において、情報処理装置１は、アクセスポインタ及び属性情報をデータ記録装置２に書き込む要求をデータ記録装置２に出す。ステップＳ７４において、データ記録装置２は、アクセスポインタを承諾通知として情報処理装置１に出力する。ステップＳ７５において、情報処理装置１は、アクセスポインタ及びデータ長をデータとしてデータ記録装置２に書き込む。ステップＳ７６において、データ記録装置２は、アクセスポインタを承諾通知として情報処理装置１に出力する。ステップＳ７７において、情報処理装置１は、アクセスポインタを終了通知としてデータ記録装置２に出力する。ステップＳ７８において、データ記録装置２は、アクセスポインタを承諾通知として情報処理装置１に出力する。
【００６６】
また、図２３は、情報処理装置１がデータ記録装置２に書き込まれたデータを消去する際のシーケンスを説明するための図である。ステップＳ８１において、情報処理装置１は、データ記録装置２に対して消去したいコンテンツデータのコンテンツ名を呈示する。ステップＳ８２において、データ記録装置２は、承諾通知のデータを情報処理装置１に出力する。
【００６７】
なお、本実施の形態における情報処理装置１は、画面のメニュー表示を行う上位の表示モードとして、ＡＶ（Audio Visual）モード、ＰＣ（Personal Computer）モードに限定されず、それ以外の表示モード、例えば、図２４Ａ、図２５Ａ及び図２６Ａに示すように、静止画ページモード、音楽アルバムモード、動画モード等のページモードを用いてもよい。
【００６８】
図２４Ａは、情報処理装置１が、複数の写真を１つの画面に表示する静止画ページモードの表示画面を示す図であり、図２４Ｂは、この静止画ページモードにおける情報処理システムのシーケンスを説明するための図である。
【００６９】
図２４Ｂに示すように、ステップＳ９１において、データ記録装置２は、ＡＶモード、ＰＣモード、静止画ページモード、音楽アルバムモード、動画モード等、複数の表示モードを情報処理装置１に出力する。
【００７０】
ステップＳ９２において、複数の表示モードを入力した情報処理装置１は、静止画ページモードを選択する。ステップＳ９３において、データ記録装置２は、図２４Ａにおける１ページ目に表示されている４つの写真のサムネイルの内、１ページ目の１枚目の写真のサムネイル１Ａを情報処理装置１に出力する。同様に、ステップＳ９４では、１ページ目の２枚目の写真のサムネイル２Ａを、またステップＳ９５では、１ページ目の３枚目の写真のサムネイル３Ａを、さらにステップＳ９６では、１ページ目の４枚目の写真のサムネイル４Ａを情報処理装置１に出力する。
【００７１】
ステップＳ９７において、情報処理装置１は、次のページの出力をデータ記録装置２に要求する。ステップＳ９８において、データ記録装置２は、２ページ目の１枚目の写真のサムネイル５Ａを情報処理装置１に出力する。同様に、ステップＳ９９では、２ページ目の２枚目の写真のサムネイル６Ａを、またステップＳ１００では、２ページ目の３枚目の写真のサムネイル７Ａを、さらにステップＳ１０１では、２ページ目の４枚目の写真のサムネイル８Ａを情報処理装置１に出力する。
【００７２】
情報処理装置１は、このようなシーケンスを経て、データ記録装置２のＣＰＵ１６が作成した静止画ページモードのメニュー画面の論理構造に基づいてメニュー表示を行うＧＵＩ画面を作成して、このＧＵＩ画面を表示する。
【００７３】
この静止画ページモードでは、ユーザが画面に次のページを表示させる場合は、次ページボタン３１を選択し、前ページを表示させる場合は、前ページボタン３２を選択する。
【００７４】
図２５Ａは、情報処理装置１が、複数の音楽アルバムを１つの画面に表示する音楽アルバムモードの表示画面を示す図であり、図２５Ｂは、この音楽アルバムモードにおける情報処理システムのシーケンスを説明するための図である。
【００７５】
図２５Ａに示すように、音楽アルバムモードでは、情報処理装置１がＧＵＩ画面に３つのアルバムジャケット写真（ジャケット写真４１、ジャケット写真４２及びジャケット写真４３）と、アーティスト名（アーティスト１、アーティスト２及びアーティスト３）と、アルバム名（アルバム１、アルバム２及びアルバム３）と、各音楽アルバムについての簡単な解説とを表示する。
【００７６】
図２５Ｂに示すように、ステップＳ１１１において、データ記録装置２は、ＡＶモード、ＰＣモード、静止画ページモード、音楽アルバムモード、動画モード等、複数の表示モードを情報処理装置１に出力する。ステップＳ１１２において、複数の表示モードを入力した情報処理装置１は、音楽アルバムモードを選択し、この結果をデータ記録装置２に出力する。
【００７７】
ステップＳ１１３において、データ記録装置２は、１ページ目に表示されている３つの音楽アルバムの内、１つ目の音楽アルバムのジャケット写真４１のデータを情報処理装置１に出力する。同様に、ステップＳ１１４では、１つ目の音楽アルバムのアーティスト名（アーティスト１）を、またステップＳ１１５では、１つ目の音楽アルバムのタイトル（アルバム１）を、さらにステップＳ１１６では、１つ目の音楽アルバムの解説を情報処理装置１に出力する。
【００７８】
ステップＳ１１７において、データ記録装置２は、１ページ目に表示されている３つの音楽アルバムの内、２つ目の音楽アルバムのジャケット写真４２を情報処理装置１に出力する。同様に、ステップＳ１１８では、２つ目の音楽アルバムのアーティスト名（アーティスト２）を、またステップＳ１１９では、２つ目の音楽アルバムのタイトル（アルバム２）を、さらにステップＳ１２０では、２つ目の音楽アルバムの解説を情報処理装置１に出力する。
【００７９】
ステップＳ１２１において、データ記録装置２は、１ページ目に表示されている３つの音楽アルバムの内、３つ目の音楽アルバムのジャケット写真４３を情報処理装置１に出力する。同様に、ステップＳ１２２では、３つ目の音楽アルバムのアーティスト名（アーティスト３）を、またステップＳ１２３では、３つ目の音楽アルバムのタイトル（アルバム３）を、さらにステップＳ１２４では、３つ目の音楽アルバムの解説を情報処理装置１に出力する。
【００８０】
情報処理装置１は、このようなシーケンスを経て、データ記録装置２のＣＰＵ１６が作成した音楽アルバムモードのメニュー画面の論理構造に基づいてメニュー表示を行うＧＵＩ画面を作成して、このＧＵＩ画面を表示する。
【００８１】
また、ユーザは、２ページ目を見る際は、次ページボタン３１を選択する。
【００８２】
図２６Ａは、情報処理装置１が、映画、テレビジョンドラマ等、複数の動画のシーンカットを映した動画フィルムを１つの画面に表示する動画モードの表示画面を示す図であり、図２６Ｂは、この動画モードにおける情報処理システムのシーケンスを説明するための図である。
【００８３】
図２６Ａに示すように、動画モードでは、情報処理装置１の表示画面に３つの動画フィルムと、その動画のタイトル名（タイトルＡ，タイトルＢ，タイトルＣ）とを表示する。
【００８４】
図２６Ｂに示すように、ステップＳ１３１において、データ記録装置２は、ＡＶモード、ＰＣモード、静止画ページモード、音楽アルバムモード、動画モード等、複数の表示モードの選択肢を情報処理装置１に出力する。ステップＳ１３２において、複数の表示モードを入力した情報処理装置１は、動画モードを選択し、この結果をデータ記録装置２に出力する。
【００８５】
ステップＳ１３３において、データ記録装置２は、１ページ目に表示されている３つ動画フィルムの内、１つ目の動画フィルムのタイトル（タイトルＡ）を情報処理装置１に出力する。ステップＳ１３４において、データ記録装置２は、１ページ目に表示されている３つ動画フィルムの内、１つ目の動画フィルムのシーンカットの１枚目５１Ａを情報処理装置１に出力する。同様に、ステップＳ１３５では、１つ目の動画フィルムのシーンカットの２枚目５２Ａを、また、ステップＳ１３６では、１つ目の動画フィルムのシーンカットの３枚目５３Ａを情報処理装置１に出力する。
【００８６】
また、ステップＳ１３７において、データ記録装置２は、１ページ目に表示されている３つ動画フィルムの内、２つ目の動画フィルムのタイトル（タイトルＢ）を情報処理装置１に出力する。ステップＳ１３８において、データ記録装置２は、１ページ目に表示されている３つ動画フィルムの内、２つ目の動画フィルムのシーンカットの１枚目５１Ｂを情報処理装置１に出力する。同様に、ステップＳ１３９では、２つ目の動画フィルムのシーンカットの２枚目５２Ｂを、また、ステップＳ１４０では、２つ目の動画フィルムのシーンカットの３枚目５３Ｂを情報処理装置１に出力する。
【００８７】
また、ステップＳ１４１において、データ記録装置２は、１ページ目に表示されている３つ動画フィルムの内、３つ目の動画フィルムのタイトル（タイトルＣ）を情報処理装置１に出力する。ステップＳ１４２において、データ記録装置２は、１ページ目に表示されている３つ動画フィルムの内、３つ目の動画フィルムのシーンカットの１枚目５１Ｃを情報処理装置１に出力する。同様に、ステップＳ１４３では、３つ目の動画フィルムのシーンカットの２枚目５２Ｃを、また、ステップＳ１４４では、３つ目の動画フィルムのシーンカットの３枚目５３Ｃを情報処理装置１に出力する。
【００８８】
情報処理装置１は、このようなシーケンスを経て、データ記録装置２のＣＰＵ１６が作成した動画モードのメニュー画面の論理構造に基づいてメニュー表示を行うＧＵＩ画面を作成して、このＧＵＩ画面を表示する。
【００８９】
また、ユーザは、２ページ目を見る際は、次ページボタン３１を選択する。
【００９０】
本発明の一実施形態における情報処理システムは、情報処理装置１がファイルのメニュー表示を行う際、データ記録装置２がメニューの論理構造を作成するため、データ記録装置２は、これらのファイルを管理することが可能である。
【００９１】
例えば、データ記録装置２は、メニューの中に「ごみ箱」というカテゴリがある場合、「３ケ月間以上アクセスが無かったファイルを自動的にごみ箱フォルダに移動させる」という動作をデータ記録装置２に自発的に行わせることが可能である。
【００９２】
すなわち、図２７に示すように情報処理装置１とデータ記録装置２とが行うシーケンスでは、ステップＳ１５１において、情報処理装置１は、「ごみ箱機能をＯＮにして下さい。」という要求をデータ記録装置２に出力する。ステップＳ１５２において、データ記録装置２は、承諾通知を情報処理装置１に出力する。ステップＳ１５３において、情報処理装置１は、「期間の長さを３ケ月にして下さい。」という要求をデータ記録装置２に出力する。ステップＳ１５４において、データ記録装置２は、承諾通知を情報処理装置１に出力する。
【００９３】
上述したように、本発明の一実施形態における情報処理システムでは、データ記録装置２がメニューの論理構造を作成し、情報処理装置１がこのメニューの論理構造を基にＧＵＩ画面にメニュー表示を行うため、情報処理装置１がデータ記録装置２内のファイル名を検索して表示するといった手間が省け、情報処理システムの処理動作の高速化を図ることが可能となる。また、データ記録装置２がコンテンツのファイル管理を行うため、ユーザは、データ記録装置２を何れの情報処理装置に接続してもコンテンツを使用することが可能となる。
【００９４】
なお、本発明は上述した実施の形態のみに限定されるものではなく、本発明の要旨を逸脱しない範囲において種々の変更が可能であることは勿論である。
【００９５】
例えば、上述した実施の形態では、図８に示すように、情報処理装置１との間でデータを入出力するホストインターフェース（Ｉ／Ｆ）１１と、バッファ１２と、ＲＡＭ１３と、コンテンツデータに属性情報を付して記録するフラッシュメモリ１４と、フラッシュメモリ１４との間でデータを入出力するフラッシュメモリインターフェース（Ｉ／Ｆ）１５と、属性情報に基づいてコンテンツデータを分類し、情報処理装置１がコンテンツデータのファイルのメニュー表示を行うための論理構造を作成するＣＰＵ１６と、ＣＰＵ１６により実行されるプログラムが書き込まれたＲＯＭ１７と、ＣＰＵバス１８とを備えて構成されるデータ記録装置２を用いて説明したが、別の実施の形態として、図２８に示すような接続装置３を用いることが可能である。ここで、データ記録装置２と同様の構成については、同一符号を付して詳細な説明を省略する。
【００９６】
接続装置３は、ホストインターフェース（Ｉ／Ｆ）１１と、バッファ１２と、ＲＡＭ１３と、フラッシュメモリインターフェース（Ｉ／Ｆ）１５１と、ＣＰＵ１６と、ＲＯＭ１７と、ＣＰＵバス１８とを備えて構成され、フラッシュメモリインターフェース（Ｉ／Ｆ）１５１を介してフラッシュメモリ１４１と着脱自在に接続され、コンテンツデータの書き込み動作及び／又は読み出し動作等を行う。これにより、情報処理装置１は、ホストインターフェース（Ｉ／Ｆ）１１を介して接続装置３と接続され、データ記録装置２と接続される場合と同様に、接続装置３が作成したメニューの論理構造を基にＧＵＩ画面を作成してメニュー表示を行うため、一連の処理動作の高速化を図ることが可能となる。また、接続装置３がコンテンツのファイル管理を行うため、ユーザは、接続装置３を何れの情報処理装置に接続してもコンテンツを使用することが可能となる。
【００９７】
また、フラッシュメモリインターフェース（Ｉ／Ｆ）１５１は、例えば、ＵＳＢ（Universal Serial Bus）や、ＩＥＥＥ１３９４（the Institute of Electrical and Electronics Engineers 1394）等に準拠したものであって、ホストインターフェース（Ｉ／Ｆ）１１は、これらをさらに拡張したものであってもよい。
【００９８】
また、上述した実施の形態における情報処理システムでは、情報処理装置１の表示モードをＡＶモード、ＰＣモード及びページモードの内、１つの上位の表示モードを選択して表示するが、図２９に示すように、例えば、ＰＣモードで作成したファイルをＡＶモードで表示させるために、ＡＶモードにおける第１レイヤ２１に「ＰＣモードファイル」というカテゴリを設け、このカテゴリの中にＰＣモードのファイルを含有させて、第２レイヤ２２にこれらのＰＣモードのファイルを並列表示させてもよい。
【００９９】
また、上述した実施の形態における情報処理システムでは、データ記録装置２が記録手段としてフラッシュメモリ１４を備えたが、記録手段はこれに限られず、ＨＤＤ等の記録媒体を用いてもよい。
【図面の簡単な説明】
【０１００】
【図１】本実施の形態における情報処理システムの構成を示したブロック図である。
【図２】情報処理システムのプロトコルを示した図である。
【図３】（ａ）は、情報処理装置とデータ記録装置とが物理レベルで通信を行う様子を示した図であり、（ｂ）は、情報処理装置とデータ記録装置とが論理レベルで通信を行う様子を示した図であり、（ｃ）は、情報処理装置とデータ記録装置とがファイルレベルで通信を行う様子を示した図であり、（ｄ）は、情報処理装置とデータ記録装置とがメニューレベルで通信を行う様子を示した図である。
【図４】ファイルの属性情報を示す図である。
【図５】ファイルの属性情報を基にジャンル別にメニュー論理構造を並び替えた様子を示した図である。
【図６】メニューの論理構造をファイル名に基づいて並び替えた様子を示した図である。
【図７】情報処理装置が作成するＧＵＩ画面を示した図である。
【図８】本発明の一実施形態におけるデータ記録装置の構成を示したブロック図である。
【図９】（Ａ）は、本発明の一実施形態における情報処理装置がＡＶモードを用いた様子を示した図であり、（Ｂ）は、本発明の一実施形態における情報処理装置がＰＣモードを用いた様子を示した図である。
【図１０】ＡＶモードにおいて、それぞれのファイルが有する属性情報を示した図である。
【図１１】（Ａ）は、コンテンツをアルバムの種類ごとに分類して表示する表示モードを示した図であり、（Ｂ）は、コンテンツを楽曲の種類ごとに分類して表示する表示モードを示した図であり、（Ｃ）は、コンテンツをプレイリストごとに分類して表示する表示モードを示した図であり、（Ｄ）は、コンテンツをＡＶモードにおけるカテゴリの分類に対応して表示する表示モードを示した図である。
【図１２】ＡＶモードを用いた情報処理システムの初期シーケンスを説明するための図である。
【図１３】ＡＶモードの表示形式を変更する様子を示した図である。
【図１４】情報処理装置がデータ記録装置のデータを読み出す際のシーケンスを説明するための図である。
【図１５】情報処理装置がデータ記録装置にデータを書き込む際のシーケンスを説明するための図である。
【図１６】情報処理装置がデータ記録装置に書き込まれたデータを消去する際のシーケンスを説明するための図である。
【図１７】それぞれのファイルにおけるアプリケーションソフトのファイル形式を示した図である。
【図１８】（Ａ）は、コンテンツをフォルダごとに分類して表示する表示モードを示した図であり、（Ｂ）は、拡張子ごとにコンテンツを分類表示す表示モードを示した図であり、（Ｃ）及び（Ｄ）は、リムーバブルディスクに保存したアプリケーションの異なるコンテンツを並列表示する表示モードを示した図である。
【図１９】ＰＣモードを用いた情報処理装置システムの初期シーケンスを説明するための図である。
【図２０】ＰＣモードの表示形式を変更する様子を示した図である。
【図２１】情報処理装置がデータ記録装置のデータを読み出す際のシーケンスを説明するための図である。
【図２２】情報処理装置がデータ記録装置にデータを書き込む際のシーケンスを説明するための図である。
【図２３】情報処理装置がデータ記録装置に書き込まれたデータを消去する際のシーケンスを示した図である。
【図２４Ａ】静止画ページモードの表示画面を示した図である。
【図２４Ｂ】静止画ページモードにおける情報処理システムのシーケンスを説明するための図である。
【図２５Ａ】音楽アルバムモードの表示画面を示した図である。
【図２５Ｂ】音楽アルバムモードにおける情報処理システムのシーケンスを説明するための図である。
【図２６Ａ】動画モードの表示画面を示した図である。
【図２６Ｂ】動画モードにおける情報処理システムのシーケンスを説明するための図である。
【図２７】データ記録装置が行うファイル管理の一例におけるシーケンスを説明するための図である。
【図２８】本発明の別の実施の形態における接続装置の構成を示した図である。
【図２９】ＰＣモードで作成したファイルをＡＶモードで表示する様子を示した図である。
【図３０】一般的な半導体メモリの構成を示すブロック図である。
【符号の説明】
【０１０１】
１  情報処理装置、２  データ記録装置、１１  ホストインターフェース、１２  バッファ、１３  ＲＡＭ、１４  フラッシュメモリ、１５  フラッシュメモリインターフェース、１６  ＣＰＵ、１７  ＲＯＭ、１８  ＣＰＵバス
【図１】
2007094740.tif 000003
【図２】
2007094740.tif 000004
【図３】
2007094740.tif 000005
【図４】
2007094740.tif 000006
【図５】
2007094740.tif 000007
【図６】
2007094740.tif 000008
【図７】
2007094740.tif 000009
【図８】
2007094740.tif 000010
【図９】
2007094740.tif 000011
【図１０】
2007094740.tif 000012
【図１１】
2007094740.tif 000013
【図１２】
2007094740.tif 000014
【図１３】
2007094740.tif 000015
【図１４】
2007094740.tif 000016
【図１５】
2007094740.tif 000017
【図１６】
2007094740.tif 000018
【図１７】
2007094740.tif 000019
【図１８】
2007094740.tif 000020
【図１９】
2007094740.tif 000021
【図２０】
2007094740.tif 000022
【図２１】
2007094740.tif 000023
【図２２】
2007094740.tif 000024
【図２３】
2007094740.tif 000025
【図２４Ａ】
2007094740.tif 000026
【図２４Ｂ】
2007094740.tif 000027
【図２５Ａ】
2007094740.tif 000028
【図２５Ｂ】
2007094740.tif 000029
【図２６Ａ】
2007094740.tif 000030
【図２６Ｂ】
2007094740.tif 000031
【図２７】
2007094740.tif 000032
【図２８】
2007094740.tif 000033
【図２９】
2007094740.tif 000034
【図３０】
2007094740.tif 000035